(57)【要約】  【課題】  ごみ袋の口を簡易に開閉できるようにする。  【解決手段】  ごみ袋保持具１は、ごみ袋２の口２０の開閉方向の部分縁部２１Ｅを受ける固定側の縁部受け部材１１と、ごみ袋２の口２０の開閉方向の部分縁部２２Ｅを受ける可動側の縁部受け部材１２と、ごみ袋２の各部分縁部と各縁部受け部材とを固定する固定手段１３と、固定側の縁部受け部材１１を支持する脚部材１４と、固定側の縁部受け部材１１に設けられて、可動側の縁部受け部材１２をごみ袋２の口２０を閉じる位置とごみ袋２の口２０を開ける位置との間で案内移動する案内手段１５とを備える。【選択図】  図１
2006248710.tif 000002
【特許請求の範囲】
【請求項１】
ごみ袋の口の片側一方の縁部で該口を開閉するときの開閉方向の部分縁部を受ける固定側の縁部受け部材と、
ごみ袋の口の片側他方の縁部で該口を開閉するときの開閉方向の部分縁部を受ける可動側の縁部受け部材と、
ごみ袋の前記各部分縁部と前記各縁部受け部材とを固定する固定手段と、
前記固定側の縁部受け部材を支持する脚部材と、
前記固定側の縁部受け部材又は前記脚部材に設けられて、前記可動側の縁部受け部材を前記固定側の縁部受け部材に近接して又は接触して並列に配置され、ごみ袋の口を閉じる位置と、前記固定側の縁部受け部材に対して所定の間隔だけ離間して並列に配置され、ごみ袋の口を開ける位置との間で案内移動する案内手段とを備え、
ごみ袋の口を開閉可能に保持することを特徴とするごみ袋保持具。
【請求項２】
固定側及び可動側の各縁部受け部材、脚部材、及び案内手段は略筒状の棒材又はパイプ材又はこれらの組み合わせにより形成される請求項１に記載のごみ袋保持具。
【請求項３】
固定手段は固定側及び可動側の各縁部受け部材の外周面に嵌着可能な断面形状を有し、各縁部受け部材上に掛けられたごみ袋の各縁部を挟持可能に形成される請求項１又は２に記載のごみ袋保持具。
【請求項４】
固定手段は固定側及び可動側の縁部受け部材の外周面に突設され、ごみ袋の各縁部を前記各縁部受け部材に掛けた状態から外側に向けて引っ張り係止可能に形成される請求項１又は２に記載のごみ袋保持具。
【請求項５】
案内手段は、固定側の縁部受け部材から、又は脚部材に前記固定側の縁部受け部材と略平行に設けられた補助部材から、可動側の縁部受け部材を案内移動する方向に向けて延びる一対の固定側アームと、前記各固定側アームの先端に略垂直方向に回動可能に連結され、前記可動側の縁部受け部材を支持する一対の可動側アームと、前記各可動側アームを所定の回動位置で固定するストッパーとを具備する請求項１乃至４のいずれかに記載のごみ袋保持具。
【発明の詳細な説明】
【技術分野】
【０００１】
本発明は、ポリ袋などのごみ袋の口を保持してごみの収納容器として使用するごみ袋保持具に関する。
【０００２】
従来から、ごみをポリ袋などのごみ袋へ簡易に収容するために、ごみ袋保持具が使用されている。この種のごみ袋保持具は、一般に、略水平の環状の上部枠及び下部枠と、これら上部枠と下部枠との間に一体に接合された複数の支柱とからなり、上部枠には係止手段が着脱可能に設けられている。この保持具を使用する場合、ごみ袋を複数の支柱間の空間に入れて、ごみ袋の口の縁部全体を上部枠の上から外側に折り返し、この折り返されたごみ袋の縁部の上から、上部枠に係止手段を係止して、ごみ袋の縁部を固定する。このようにしてごみ袋を口が開いた状態で保持することができ、ごみを容易に投入できるようになっている（特許文献１参照）。
【特許文献１】実開平７−８３０８号公報
【発明の開示】
【発明が解決しようとする課題】
【０００３】
しかしながら、従来のこの種のごみ袋保持具では、ごみ袋の口を開いて保持するため、ごみを投入しやすい反面、ごみが露出して見栄えが悪く、また生ごみなどを入れると、生ごみから放たれる臭いを遮断できないという問題がある。
【０００４】
本発明は、このような従来の問題を解決するもので、ごみ袋の口を簡易に開閉できるようにして、ごみを投入しやすくし、また、投入されたごみを簡単に隠蔽するとともにごみから発生する臭いを遮断することのできる優れたごみ袋保持具を提供することを目的とする。
【課題を解決するための手段】
【０００５】
上記目的を達成するために、本発明のごみ袋保持具は、ごみ袋の口の片側一方の縁部で該口を開閉するときの開閉方向の部分縁部を受ける固定側の縁部受け部材と、ごみ袋の口の片側他方の縁部で該口を開閉するときの開閉方向の部分縁部を受ける可動側の縁部受け部材と、ごみ袋の前記各部分縁部と前記各縁部受け部材とを固定する固定手段と、前記固定側の縁部受け部材を支持する脚部材と、前記固定側の縁部受け部材又は前記脚部材に設けられて、前記可動側の縁部受け部材を前記固定側の縁部受け部材に近接して又は接触して並列に配置され、ごみ袋の口を閉じる位置と、前記固定側の縁部受け部材に対して所定の間隔だけ離間して並列に配置され、ごみ袋の口を開ける位置との間で案内移動する案内手段とを備え、ごみ袋の口を開閉可能に保持することを要旨とする。
【０００６】
また、本発明のごみ袋保持具は、次のように具体化される。第１に、固定側及び可動側の各縁部受け部材、脚部材、及び案内手段は略筒状の棒材又はパイプ材又はこれらの組み合わせにより形成される。第２に、固定手段は固定側及び可動側の各縁部受け部材の外周面に嵌着可能な断面形状を有し、各縁部受け部材上に掛けられたごみ袋の各縁部を挟持可能に形成される。第３に、固定手段は固定側及び可動側の縁部受け部材の外周面に突設され、ごみ袋の各縁部を前記各縁部受け部材に掛けた状態から外側に向けて引っ張り係止可能に形成される。第４に、案内手段は、固定側の縁部受け部材から、又は脚部材に前記固定側の縁部受け部材と略平行に設けられた補助部材から、可動側の縁部受け部材を案内移動する方向に向けて延びる一対の固定側アームと、前記各固定側アームの先端に略垂直方向に回動可能に連結され、前記可動側の縁部受け部材を支持する一対の可動側アームと、前記各可動側アームを所定の回動位置で固定するストッパーとを具備する。
【発明の効果】
【０００７】
本発明のごみ袋保持具は、上記各構成により、可動側の縁部受け部材の開閉動作により、ごみ袋の口を簡易に開閉することができ、これによりごみを投入しやすくし、また、投入されたごみを隠蔽するとともにごみから発生する臭いを遮断することができる。
【発明を実施するための最良の形態】
【０００８】
以下、本発明の一実施の形態について図１乃至図６を用いて説明する。なお、この実施の形態で図５及び図６に例示するごみ袋２は、一般に市販されているポリ袋で、初期（使用前）の状態では口２０が閉じられており、使用に際して、口２０の片側一方の縁部２１と片側他方の縁部２２を離間する方向に開き、口２０を略四角形又は略丸形に形成しながら、内部の収容空間を広げることになる。この場合、一般に、口２０の両側縁部２１、２２の略中央から開いていくので、この中央部分が口２０を開閉するときの開閉方向に当たる部分縁部２１Ｅ、２２Ｅとなり、これら部分縁部２１Ｅ、２２Ｅの両端側が口２０を開閉するときに延びたり折り畳まれたりする、まちに当たる部分縁部２３Ｅ、２４Ｅとなる。以下の説明では、ごみ袋２の口２０の両側縁部２１、２２で、口２０を開閉するときの開閉方向の部分を、単に開閉方向の部分縁部２１Ｅ、２２Ｅといい、その両端の部分を、単にまちに当たる部分縁部２３Ｅ、２４Ｅという。
【０００９】
図１及び図２に示すように、この実施の形態のごみ袋保持具１は、ごみ袋２の口２０の片側一方の縁部２１で開閉方向の部分縁部２１Ｅを受ける固定側の縁部受け部材１１と、ごみ袋２の口２０の片側他方の縁部２２で開閉方向の部分縁部２２Ｅを受ける可動側の縁部受け部材１２と、ごみ袋２の各部分縁部２１、２２と各縁部受け部材１１、１２とを固定する固定手段１３と、固定側の縁部受け部材１１を支持する脚部材１４と、固定側の縁部受け部材１１に設けられて、可動側の縁部保持部材１２を固定側の縁部受け部材１１に近接して並列に配置され、ごみ袋２の口２０を閉じる位置（図２の状態）と、固定側の縁部受け部材１１に対して所定の間隔だけ離間して並列に配置され、ごみ袋２の口２０を開ける位置（図１の状態）との間で案内移動する案内手段１５とを備える。以下、各部材及び各手段について説明を補足する。
【００１０】
固定側の縁部受け部材１１は直状の部材からなり、この場合、金属材の丸棒（若しくは角棒）又は丸パイプ（若しくは角パイプ）が所定の寸法（ごみ袋２の開閉方向の部分縁部２１Ｅと略同じか少し長い寸法）に切断されて形成される。また、この縁部受け部材１１の外周面には、固定手段１３のフック１３Ａが（この縁部受け部材１１の直状方向を水平に向けた状態の）中央及び両端に、略水平方向に向けて（この縁部受け部材１１の外周面に対して）略直角に突設され、また、同向きの中央に脚部材１４の一部となる支持脚１４１Ａが垂設され、さらにその両端から後述する固定側アーム１５１がフック１３Ａとは反対側で、所定の方向に向けて突設される。この場合、フック１３Ａは、同様に金属材の丸棒（若しくは角棒）又は丸パイプ（若しくは角パイプ）が所定の長さ（ごみ袋２の縁部２１を固定側の縁部受け部材１１に掛けた状態から外側に少し引っ張り係止し、該縁部２１を緊張させるのに必要な寸法）に切断されて形成され、縁部受け部材１１に溶接により接合される。なお、このフック１３Ａは先端を下方に向けて曲線状に形成されることが望ましい。支持脚１４１Ａは、同様に金属材の丸棒（若しくは角棒）又は丸パイプ（若しくは角パイプ）が所定の長さ（後述する脚部材１４の支持脚１４１Ｂと略同じ長さで、２本の支持脚１４１Ａ、１４１Ｂを合わせて、ごみ袋２を立てて支持するのに必要な寸法となるよう）に切断されて形成され、縁部受け部材１１に溶接により接合される。各固定側アーム１５１もまた同様に、金属材の丸棒（若しくは角棒）又は丸パイプ（若しくは角パイプ）が所定の長さ（固定側の縁部受け部材１１とごみ袋２の口２０を開ける位置にある可動側の縁部受け部材１２との間のおよそ半分の長さ）に緩やかな曲線状に形成され、縁部受け部材１１に所定の方向（ごみ袋２の口を開ける位置にある可動側の縁部受け部材１２の方向、この場合少し下方斜め）に向けて、溶接により接合される。
【００１１】
可動側の縁部受け部材１２は固定側の縁部受け部材１１よりも少し長い直状の部材からなり、この場合、固定側の縁部受け部材１１と同様に、金属材の丸棒（若しくは角棒）又は丸パイプ（若しくは角パイプ）が所定の寸法（開閉方向の部分縁部２２Ｅよりも少し長い寸法）に切断されて形成される。この可動側の縁部受け部材１２の場合、両端にグリップ（握り部）１２１が設けられる。また、この縁部受け部材１２の外周面には、（この縁部受け部材１２の直状方向を水平に向けた状態の）中央及び両端に、固定手段１３のフック１３Ａがこの縁部受け部材１２が後述するようにごみ袋２の口２０を閉じる位置にあるときは回動側斜め上方に向くように、またごみ袋２の口２０を開ける位置にあるときは略下方に向くようにして（この縁部受け部材１２の外周面に対して）略直角に突設され、またその両端から後述する可動側アーム１５２が所定の方向に向けて突設される。この場合、フック１３Ａは、同様に金属材の丸棒（若しくは角棒）又は丸パイプ（若しくは角パイプ）が所定の長さ（ごみ袋２の縁部２１を固定側の縁部受け部材１２に掛けた状態から外側に少し引っ張り係止し、該縁部２１を緊張させるのに必要な寸法）に切断されて形成され、縁部受け部材１２に溶接により接合される。なお、このフック１３Ａは少し曲線状に形成されることが望ましい。各可動側アーム１５２もまた同様に、金属材の丸棒（若しくは角棒）又は丸パイプ（若しくは角パイプ）が所定の長さ（固定側の縁部受け部材１１とごみ袋２の口２０を開ける位置にある可動側の縁部受け部材１２との間のおよそ半分の長さ）に直線状に形成され、縁部受け部材１２に所定の方向（ごみ袋２の口を開ける位置にある可動側の縁部受け部材１２から固定側アーム１５１の方向、この場合少し上方斜め）に向けて、溶接により接合される。
【００１２】
脚部材１４は、固定側の縁部受け部材１１をその直状方向を略水平にして支持する支持脚１４１と、この支持脚１４１を起立状態に支持する座脚１４２とを有する。この脚部材１４の場合、支持脚１４１は、既述の固定側の縁部受け部材１１側の支持脚１４１Ａと、この支持脚１４１Ａを全長に亘って挿入可能な筒形形状の座脚側の支持脚１４１Ｂと、この座脚側の支持脚１４１Ｂの周面に穿設されたねじ穴に螺着され、固定側の縁部受け部材１１側の支持脚１４１Ａを任意の位置で固定するねじ１４３とからなり、これらにより固定側の縁部受け部材１１を任意の高さに支持する高さ調整手段が構成される。このようにして脚部材１４はごみ袋２のサイズに応じて高さ方向に伸縮可能である。なお、座脚側の支持脚１４１Ｂは金属材の丸パイプまたは角パイプにより直状に形成され、また、座脚１４２は金属材の丸棒（若しくは角棒）又は丸パイプ（若しくは角パイプ）により平面形状を略Ｕ字形又は略Ｖ字形又は略円形又は略楕円形などに形成され、支持脚１４１Ｂが座脚１４２上に起立した状態にして溶接により接合される。また、この座脚１４２上には水分の受け皿１６が設置される。この場合、受け皿１６は角型や丸型など任意の形状に形成され、座脚１４上に直接載せられる。このようにすることにより、受け皿１６で脚部材１４を押えて安定させることができる。
【００１３】
固定手段１３として固定側及び可動側の会苦縁部受け部材１１、１２に複数のフック１３Ａが設けられ、また、複数のクリップ１３Ｂが取り付けられる。フック１３Ａについては既に説明したとおりである。クリップ１３Ｂは各縁部受け部材１１、１２の外周面の２箇所に嵌着可能に、所定の軸方向幅を有する断面Ｃ字形状に形成され、各縁部受け部材１１、１２上に掛けられたごみ袋２の各縁部２１、２２の上から各縁部２１、２２を（縁部受け部材１１、１２とクリップ１３Ｂとの間に）挟持可能に構成される。
【００１４】
案内手段１５は、既に説明したように、固定側の縁部受け部材１１から、ごみ袋２の口２０を開ける位置の可動側の縁部受け部材１２に向けて延びる一対の固定側アーム１５１と、各固定側アーム１５１の先端に略垂直方向に回動可能に連結され、可動側の縁部受け部材１２を支持する一対の可動側アーム１５２と、可動側の縁部受け部材１２のごみ袋２の口２０を開ける位置で各可動側アーム１５２を固定するストッパー１５３とを具備する。この場合、固定側の縁部受け部材１１とごみ袋２の口２０を開ける位置にある可動側の縁部受け部材１２との間隔は（大きいサイズの）ごみ袋２のまちに当たる部分縁部２３Ｅ、２４Ｅの伸長状態の長さに略等しく、既に説明したように、固定側アーム１５１は固定側の縁部受け部材１１から、固定側の縁部受け部材１１とごみ袋２の口２０を開ける位置にある可動側の縁部受け部材１２との間のおよそ半分の長さで、ごみ袋２の口２０を開ける位置にある可動側の縁部受け部材１２の方向に向けて緩やかな曲線状（この場合、上方に向けて緩やかな湾曲状）で、少し下方に向けて形成される。また、可動側アーム１５２は可動側の縁部受け部材１２から、ごみ袋２の口２０を開ける位置にある可動側の縁部受け部材１２と固定側の縁部受け部材１１との間のおよそ半分の長さで、固定側アーム１５１の先端に向けて直状に形成される。また、ストッパー１５３は、図３に示すように、可動側アーム１５２の固定側アーム１５１との連結端側で可動側アーム１５２を回動規制する位置で下方となる面を取付部１５３Ｐとして、可動側アーム１５２を回動規制する位置で可動側アーム１５２の下方から固定側アーム１５１の下方に向けて延び、固定側アーム１５１に下方から衝接可能な略Ｌ字形の平面形状に形成される。この場合、ストッパー１５３は丸棒（若しくは角棒）又は丸パイプ（若しくは角パイプ）により略Ｌ字形に形成され、先端が固定側アーム１５１の側に向けて可動側アーム１５２の連結端から突出されるようにして、可動側アーム１５２の取付部１５３Ｐに溶接により取り付けられる。このようにして可動側の縁部受け部材１２のごみ袋２の口２０を閉じる位置から開ける位置に向けて可動側アーム１５２を回動させると、図４に示すように、ストッパー１５３は固定側アーム１５１の端部の外回りを回動し、可動側アーム１５２を回動規制する位置で固定側アーム１５１に下方から衝接され、可動側アーム１５２をロックする。
【００１５】
このようにしてごみ袋保持具１は構成され、ごみ袋２の口２０がごみ袋２のサイズに応じて開閉可能に保持されるようになっている。次に、このごみ袋保持具１の使用方法及びその作用、効果について図１、図５及び図６を用いて説明する。
【００１６】
この保持具１にごみ袋２を取り付ける場合、まず、脚部材１４の高さ調整により、固定側の縁部受け部材１１の高さをごみ袋の高さに合わせて調整してから、図１に示すように、固定側の縁部受け部材１１に対して可動側の縁部受け部材１２を案内手段１５の案内（可動側の縁部受け部材１２を支持する可動側アーム１５２を固定側アーム１５１から引き離し、伸ばす方向の回動案内）により、ストッパー１５３で固定される位置まで回動し、固定側の縁部受け部材１１と可動側の縁部受け部材１２とを離間させる。図５に示すように、これら固定側の縁部受け部材１１と可動側の縁部受け部材１２との間にごみ袋２を配置して、ごみ袋２の口２０を開き、口２０を略四角形に形成しながら、内部の収容空間を広げていく。そして口２０を開いたときの開閉方向の一方の縁部２１を固定側の縁部受け部材１１に上から（縁部受け部材１１の内側から外側へ）掛けながら、外側に引っ張り、フック１３Ａに係止する。このとき、ごみ袋２の縁部２１をフック１３Ａに差し通してもよい。続いて、口２０の開閉方向の他方の縁部２２を可動側の縁部受け部材１２に上から（縁部受け部材１２の内側から外側へ）掛けながら、外側に引っ張り、フック１３Ａに係止する。このとき、ごみ袋２の縁部２２をフック１３Ａに差し通してもよい。これにより、ごみ袋２の口２０を固定側及び可動側の各縁部受け部材１１、１２の直状形状に沿って緊張させた状態に掛けることができる。続いて、固定側及び可動側の各縁部受け部材１１、１２（の外周面）にごみ袋２の縁部２１、２２の上からクリップ１３Ｂを嵌着して、固定側及び可動側の各縁部受け部材１１、１２にごみ袋２の口２０を固定する。このようにしてごみ袋２の取り付けが終わり、図６に示すように、可動側の縁部受け部材１２を案内手段１５の案内（可動側の縁部受け部材１２を支持する可動側アーム１５２を固定側アーム１５１に向けて折り畳む方向の回動案内）により、固定側の縁部受け部材１１側に回動させると、可動側の縁部受け部材１２は固定側の縁部受け部材１１の少し下方で、各固定側アーム１５１上に寄り掛かり、固定側の縁部受け部材１１に近接して並列に配列される。この可動側の縁部受け部材１２の位置がごみ袋２の口２０を閉じる位置となり、固定側の縁部受け部材１１に保持されたごみ袋２の口２０の開閉方向の一方の部分縁部２１Ｅに、可動側の縁部受け部材１２に保持されたごみ袋２の口２０の開閉方向の他方の部分縁部２２Ｅが当接されて、ごみ袋２の口２０が閉じられる。あとは、ごみ袋２にごみを投入する都度、可動側の縁部受け部材１２の操作により、ごみ袋２の口２０を開閉すればよい。この場合、可動側の縁部受け部材１２の片側一方又は両側のグリップ１２１を手で持って、この縁部受け部材１２を案内手段１５の案内（可動側の縁部受け部材１２を支持する可動側アーム１５２を固定側アーム１５１から引き離し、伸ばす方向の回動案内）により回動すればよく、図５に示すように、可動側アーム１５２が固定側アーム１５１に対して略１８０度回動されたところでストッパー１５３により固定され、可動側の縁部受け部材１２は固定側の縁部受け部材１１に対して所定の間隔だけ（ごみ袋２のまちに当たる部分縁部２３Ｅ、２４Ｅの長さだけ）離間して、また固定側の縁部受け部材１１に対して下方斜めに若干下がった位置に並列に配置される。この可動側の縁部受け部材１２の位置がごみ袋２の口２０を開く位置となり、固定側の縁部受け部材１１に保持されたごみ袋２の口２０の開閉方向の一方の部分縁部２１Ｅと可動側の縁部受け部材１２に保持されたごみ袋２の口２０の開閉方向の他方の部分縁部２２Ｅが十分に引き離されて、ごみ袋２の口２０が十分に開かれ、この状態が保持される。したがって、ごみを簡単に投入することができる。ごみの投入後は、既述のとおり、可動側の縁部受け部材１２の片側一方又は両側のグリップ１２１を手で持って、この縁部受け部材１２を案内手段１５の案内（可動側の縁部受け部材１２を支持する可動側アーム１５２を固定側アーム１５１に向けて折り畳む方向の回動案内）により、固定側の縁部受け部材１１側に、ごみ袋２の口２０を閉じる位置まで回動させればよい。
【００１７】
以上説明したように、この実施の形態のごみ袋保持具１によれば、ごみ袋２の口２０を開閉可能に保持するので、ごみ袋２の口２０を開いてごみを投入しやすくすることができ、また、ごみ袋２の口２０を閉じてごみ袋２に投入されたごみを隠蔽することができ、ごみから発生する臭いを遮断することもできる。また、この保持具１の場合、可動側の縁部受け部材１２のグリップ１２１を手に持って、この縁部受け部材１２を案内手段１５の案内により回動させるだけなので、ごみ袋２の口２０を簡易に開閉することができる。
【００１８】
また、この実施の形態では、特に、固定側及び可動側の各縁部受け部材１１、１２、脚部材１４、及び案内手段１５を略筒状の棒材又はパイプ材又はこれらの組み合わせにより形成するので、この保持具１全体を簡易に形成することができ、製造コストを低く抑えることができる。また、保持具１全体を棒材又はパイプ材又はこれらの組み合わせにより簡素なフレーム構造に形成するので、ごみ袋２の外周りに壁や囲いがなく、ごみ袋２の取り付け及び取り外しを容易に行うことができ、さらに、ごみ袋２の使用中に、ごみ袋２の中で紙や食品の包装トレイなどが相互に引っ掛かり、重なり合って嵩張るときに、ごみ袋２を外側からごみとともに押圧して、ごみ袋２をごみとともに圧縮することができる。
【００１９】
また、固定手段１３をフック１３Ａにして、固定側の各縁部受け部材１１の外周面に突設し、ごみ袋２の縁部２１を縁部受け部材１１に掛けた状態から外側に向けて引っ張り係止するので、ごみ袋２の口２０を固定側及び可動側の各縁部受け部材１１、１２に確実に保持することができる。また、図７に示すように、これらのフック１３Ａに、大小の、又は複数のごみ袋２Ａ、２Ｂを引っ掛けて使用することもできる。また、固定手段１３をクリップ１３Ｂにして、固定側及び可動側の各縁部受け部材１１、１２の外周面に嵌着可能な断面Ｃ字形状に形成し、各縁部受け部材１１、１２上に掛けられたごみ袋２の各縁部２１、２２を挟持するので、各縁部受け部材１１、１２上に掛けられたごみ袋２の各縁部２１、２２を脱落することなく、確実に固定することができる。また、このクリップ１３を使って、固定側及び可動側の縁部受け部材１１、１２に大小の、又は複数のごみ袋を装着することもできる。
【００２０】
また、脚部材１４に固定側の縁部受け部材１１を所定の高さに支持する高さ調整手段を具備するので、このごみ袋保持具１の高さをごみ袋２のサイズに合わせて上下に伸縮することができる。これにより、ごみ袋２のしわを伸ばして、ごみを抵抗なく投入することができる。また、座脚１４２の内側又は上側に水分の受け皿１６を設けるので、この受け皿１６でごみ袋２から漏れ出す水分やごみ袋２の表面に生じるドレンを受けることができる。
【００２１】
さらに、案内手段１５を、固定側の縁部受け部材１１から可動側の縁部受け部材１２を案内移動する方向に向けて延びる一対の固定側アーム１５１と、各固定側アーム１５１の先端に略垂直方向に回動可能に連結され、可動側の縁部受け部材１２を支持する一対の可動側アーム１５２と、各可動側アーム１５２を所定の回動位置で固定するストッパー１５３とにより構成するので、簡易な構成で、可動側の縁部受け部材１２を、ごみ袋２の閉じる位置と開く位置との間で確実に回動させることができる。この場合、ストッパー１５３は、可動側アーム１５２に設けられ、可動側アーム１５２を回動規制する位置で可動側アーム１５２の下方から固定側アーム１５１の下方に向けて延び、固定側アーム１５１に下方から衝接可能な略Ｌ字形状に形成されるので、簡易な構成でありながら、可動側アーム１５２を所定の回動角度に確実に固定することができる。
【００２２】
なお、上記実施の形態では、固定側及び可動側の縁部受け部材１１、１２は直状の部材としているが、湾曲状、円弧状など曲線形状に変えてもよく、ごみ袋２の縁部２１、２２を線状に受けることができれば、その形状は任意である。固定側及び可動側の各縁部受け部材１１、１２を曲線状にした場合、ごみ袋２の口２０を略丸形に開くことになる。また、この保持具１を構成する各部を金属材の丸棒（若しくは角棒）又は丸パイプ（若しくは角パイプ）により形成しているが、棒材やパイプ材に代えて、細長い板状の部材で形成してもよく、また金属材に代えて、プラスチック材又は木材により形成してもよい。
【００２３】
また、上記実施の形態では、固定手段１３としてフック１３Ａを設けているが、このフック１３Ａに、図８に示すように、ゴム管１７を被着することにより、ごみ袋２の固定をより確実に行うことができる。また、図８に併せて示すように、他の固定手段１３として紐状ストッパー１３Ｃを用いてもよい。この紐状ストッパー１３Ｃはゴム紐又は輪ゴムからなり、各フック１３Ａ間に架け渡される。この紐状ストッパー１３Ｃで、ごみ袋２の各縁部を上から押え込むことができる。
【００２４】
また、上記実施の形態では、案内手段１５において、固定側の縁部受け部材１１の両端に一対の固定側アーム１５１を設けているが、脚部材に固定側の縁部受け部材と略平行に補助部材を設け、この補助部材の両端から、一対の固定側アームを可動側の縁部受け部材を案内移動する方向に向けて延ばしてもよい。また、各固定側アーム１５１を緩やかな曲線状にしたが、直状でもよく、また、略Ｌ字形又は略J字形又は略Ｕ字形又は略Ｖ字形などの曲線形状に変えてもよい。また、ストッパー１５３を反対に、固定側アーム１５１の可動側アーム１５２との連結端側で下方となる面を取付部として、可動側アーム１５２を回動規制する位置で固定側アーム１５１の下方から可動側アーム１５２の下方に向けて延び、可動側アーム１５２に下方から衝接可能な形状に形成してもよい。また、このようなストッパーに代えて、周知の摩擦係合方式やラチェット機構方式を採用しても勿論かまわない。また、可動側の縁部受け部材１２を固定側の縁部受け部材１１に対して近接して並列に配置することでごみ袋２の口２０を閉じるようにしているが、可動側の縁部受け部材１２を固定側の縁部受け部材１１に接触させて並列に配置することでごみ袋２の口２０を閉じるようにしてもよい。
【００２５】
さらに、上記実施の形態では、特に例示していないが、この保持具にごみ袋の上から布製又は合成樹脂製のカバーを被せるようにしてもよく、このようにすることで、ごみ袋の美観の向上を図ることができる。
【図面の簡単な説明】
【００２６】
【図１】本発明の一実施の形態におけるごみ袋保持具の全体斜視図
【図２】同ごみ袋保持具の、可動側の縁部保持部材の動きを示す一部省略拡大斜視図
【図３】同ごみ袋保持具に採用するストッパーの拡大斜視図
【図４】同ごみ袋保持具に採用するストッパーの動作例を示す斜視図
【図５】同ごみ袋保持具にごみ袋を取り付け、口を開けた状態を示す斜視図
【図６】同ごみ袋保持具にごみ袋を取り付け、口を閉じた状態を示す一部省略拡大斜視図
【図７】同ごみ袋保持具に大小、複数のごみ袋を吊り下げた状態を示す全体斜視図
【図８】本発明の他の実施の形態におけるごみ袋保持具の全体斜視図
【符号の説明】
【００２７】
１  ごみ袋保持具
１１  固定側の縁部受け部材
１２  可動側の縁部受け部材
１２１  グリップ
１３  固定手段
１３Ａ  フック
１３Ｂ  クリップ
１３Ｃ  紐状ストッパー
１４  脚部材
１４１  支持脚
１４１Ａ  支持脚
１４１Ｂ  支持脚
１４２  座脚
１４３  ねじ
１５  案内手段
１５１  固定側アーム
１５２  可動側アーム
１５３  ストッパー
１５３Ｐ  取付部
１６  受け皿
１７  ゴム管
２  ごみ袋
２０  口
２１  縁部
２２  縁部
２１Ｅ  開閉方向の部分縁部
２２Ｅ  開閉方向の部分縁部
２３Ｅ  まちに当たる部分縁部
２４Ｅ  まちに当たる部分縁部
２Ａ、２Ｂ  ごみ袋
【図１】
2006248710.tif 000003
【図２】
2006248710.tif 000004
【図３】
2006248710.tif 000005
【図４】
2006248710.tif 000006
【図５】
2006248710.tif 000007
【図６】
2006248710.tif 000008
【図７】
2006248710.tif 000009
【図８】
2006248710.tif 000010